(57)【要約】【課題】患者への負担を低減すると共に、胃内部のひだなどを十分に伸ばして、小さな潰瘍や腫瘍を見逃すことのない内視鏡検査を実現する、検査用ベッドを提供する。【解決手段】本考案は、延伸時は略フラットをなす第１床材２、第３床材４および第１床材２と第３床材４に挟まれる第２床材３を有するベッド本体と、第１床材２と第２床材３とを相互に屈曲可能に接続する第１関節５と、第２床材３と第３床材４とを相互に屈曲可能に接続する第２関節６と、第１床材２において、ベッド本体の長手側面の両サイドに設けられた第１膨張部１０および第２膨張部１２と、ベッド本体を支える脚７を備え、第１関節５は、ベッド本体に寝ている人体の腰部付近に設けられている。【選択図】図１
0003133247.tif 000002
【実用新案登録請求の範囲】
【請求項１】
内視鏡検査に用いられる検査用ベッドであって、
延伸時は略フラットをなす第１床材、第３床材および前記第１床材と第３床材に挟まれる第２床材を有するベッド本体と、
前記第１床材と前記第２床材とを相互に屈曲可能に接続する第１関節と、
前記第２床材と前記第３床材とを相互に屈曲可能に接続する第２関節と、
前記第１床材において、前記ベッド本体の長手側面の両サイドに設けられた第１膨張部および第２膨張部と、
前記ベッド本体を支える脚を備え、
前記第１関節は、前記ベッド本体に寝ている人体の腰部付近に設けられ、
前記第２床材は、前記ベッドの設置水平面に対して傾きを有するように屈曲可能であり、前記第１床材と前記第３床材は、前記第２床材に対して傾きを有するように屈曲可能であり、
前記第１膨張部と前記第２膨張部は、膨張時には、異なる大きさに膨張することを特徴とする検査用ベッド。
【請求項２】
前記脚は、前記第１関節と前記第２関節から、設置面に向けて延伸していることを特徴とする請求項１記載の検査用ベッド。
【請求項３】
前記第１膨張部と前記第２膨張部の間に第３膨張部が更に設けられていることを特徴とする請求項１から２のいずれか記載の検査用ベッド。
【請求項４】
前記第１関節および前記第２関節の少なくとも一方は回動部を備え、前記回動部の回転動作を制御するコントローラを更に備えることを特徴とする請求項１から３のいずれか記載の検査用ベッド。
【請求項５】
前記第１膨張部、前記第２膨張部および前記第３膨張部の少なくとも一つは、空気の注入／排出により膨張／収縮し、前記空気の注入／排出を制御するコントローラを更に備えることを特徴とする請求項１から４のいずれか記載の検査用ベッド。
【考案の詳細な説明】
【技術分野】
【０００１】
本考案は、胃カメラ、大腸カメラなどの内視鏡検査時において患者が横たわるのに使用される検査用ベッドに関するものである。
【背景技術】
【０００２】
胃潰瘍や胃がんの検査のために胃カメラを用いた胃や十二指腸の内視鏡検査が、一般的に行われている。内視鏡検査が行われる際には、患者は検査用ベッドに横たわり、内視鏡が口から挿入されて、胃や十二指腸の検査が行われる。
【０００３】
また、近年では、患者への負担を低減し、横臥ではなく仰向けの体勢でも検査できるように口ではなく鼻から挿入する内視鏡検査が提案されている。
【０００４】
胃の内部は、筋肉のひだに覆われており、潰瘍や腫瘍は、これらのひだの中に埋もれていることも多く、ひだの中に埋もれている潰瘍や腫瘍を発見することには、困難がある。また、胃の人体おなか側の壁面や背中側の壁面は、内視鏡の方向を向けにくく非常に見にくい。このような問題に対応するため、内視鏡管を介して胃の内部に空気を送り込み、胃を膨張させて、胃の表面の凹凸をできるだけ平坦にさせて、内視鏡検査が行われることが多かった。
【０００５】
従来の技術においては、このように内視鏡を介して胃に空気を送り込み、胃を膨張させることで内視鏡による検査を行っていた。
【０００６】
また、介護などを目的とした床面が可動するベッドについて、いくつかの提案がなされている（例えば特許文献１、２参照）。特許文献１は、ベッドの床面を複数のユニットに分割して関節で接続し、関節を押し上げる機構により、寝ている人間の体を折り曲げ可能とする技術を開示している。特許文献２は、マットレスにローリング機能を与えた技術を開示している。
【０００７】
特許文献１や特許文献２による技術では、寝たきり者の運動不足を解消し、床ずれを防止するなどの効果を有している。
【特許文献１】特開２００５−１１８０８７号公報
【特許文献２】特開２００４−９７２３９号公報
【考案の開示】
【考案が解決しようとする課題】
【０００８】
しかしながら、従来技術には下記のような問題点があった。
【０００９】
まず、従来から広く行われている、胃に空気を送り込んだり、発泡剤を服用させたりすることによって胃を膨張させる技術では、患者への肉体的な負担が大きい問題がある。発泡剤を服用すると、胃が大きく膨張するので、患者はげっぷを我慢する必要があり、内視鏡を飲み込んでいることに加えて非常な負担となる。特に、内視鏡を飲み込んでいるために、胃の幽門は開いており食道を経由して胃の中の空気は漏れやすい。発泡剤や空気を送り込むいずれのやり方であっても、胃の内部の空気は漏れやすい状態であり、患者がこれを我慢するのは並大抵ではない。
【００１０】
患者が我慢できない場合には、胃の空気が漏れてしまい、再び空気を送り込んだり発泡剤を追加したりすることになり、検査時間は延びてしまう。内視鏡が進化している現代であっても、内視鏡を飲み込んで胃の内部を検査されることは、患者にとっては肉体的にも精神的に苦痛が高く、検査時間が延びることは苦痛の時間を長くすることになる。
【００１１】
一方、患者の苦痛を和らげるために、十分に胃の内部を見終わってない段階で検査を終了することは、潰瘍や腫瘍を見逃すことになり、検査の目的を達成できない。これは、当然ながら、患者にとって最悪の結果となりうる。
【００１２】
加えて、空気によって膨らますだけでは、胃が全体的にぼやっと広がるだけなので、胃の前方の壁面や後方の壁面が十分に延びきらず、ひだが残ったままでの検査となる。最近問題となっている「スキルス性の腫瘍」などは、非常に小さい点なので、ひだの内部に隠れてしまうと発見が困難で、熟練した医師であっても、見逃してしまう。このため、致命的な腫瘍の早期発見が遅れる問題があった。
【００１３】
胃を膨張させてひだが延びたとしても、患者が空気を吐き出してしまえば元に戻ってしまうので、結局は十分に正確な検査ができない問題があった。
【００１４】
このため、従来では、患者の負担を和らげるために、内視鏡を細くする技術開発や、検査中に麻酔を使用する技術開発が注力されていた。
【００１５】
しかし、内視鏡を補足しても、ひだの間に隠れた潰瘍や腫瘍を見つけるのは困難であることに変わりはない。
【００１６】
また、麻酔を使うことで、検査後に意識が混濁するなどの副作用的な問題も生じる。
【００１７】
すなわち、従来の内視鏡検査に用いられる器具や手法では、患者への苦痛を低減した上で、十分な精度での検査が実現できなかった。
【００１８】
特許文献１、２などに開示されるベッドは、介護を目的としたものであって、内視鏡検査への適用という点では不十分であった。
【００１９】
本考案は、患者への負担を低減すると共に、胃内部のひだなどを十分に伸ばして、小さな潰瘍や腫瘍を見逃すことのない内視鏡検査を実現する、検査用ベッドを提供することを目的とする。
【課題を解決するための手段】
【００２０】
上記問題を解決するために、本考案は、内視鏡検査に用いられる検査用ベッドであって、延伸時は略フラットをなす第１床材、第３床材および第１床材と第３床材に挟まれる第２床材を有するベッド本体と、第１床材と第２床材とを相互に屈曲可能に接続する第１関節と、第２床材と第３床材とを相互に屈曲可能に接続する第２関節と、第１床材において、ベッド本体の長手側面の両サイドに設けられた第１膨張部および第２膨張部と、ベッド本体を支える脚を備え、第１関節は、ベッド本体に寝ている人体の腰部付近に設けられ、第２床材は、ベッドの設置水平面に対して傾きを有するように屈曲可能であり、第１床材と第３床材は、第２床材に対して傾きを有するように屈曲可能であり、第１膨張部と第２膨張部は、膨張時には、異なる大きさに膨張することを特徴とする検査用ベッドを提供する。
【考案の効果】
【００２１】
本考案によれば、患者の背中を伸ばすことができるので、これに伴って自動的に胃が起き上がって伸びるので、胃の内部が突っ張って広がる。結果として、胃の内部にあるひだが広がり、胃の壁面にある微小な潰瘍や腫瘍も検査しやすくなる。
【００２２】
この結果、潰瘍や腫瘍の早期発見が可能となる。
【００２３】
また、空気を送り込むなどの必要がないので、患者への肉体的な負担が減少する。
【００２４】
また、本考案に係る検査用ベッドを使用するだけですむので、内視鏡やその他の余分な器具への工夫は不要であり、どのような病院においても容易に利用できる。
【考案を実施するための最良の形態】
【００２５】
第１の考案に係る検査用ベッドは、内視鏡検査に用いられる検査用ベッドであって、延伸時は略フラットをなす第１床材、第３床材および第１床材と第３床材に挟まれる第２床材を有するベッド本体と、第１床材と第２床材とを相互に屈曲可能に接続する第１関節と、第２床材と第３床材とを相互に屈曲可能に接続する第２関節と、第１床材において、ベッド本体の長手側面の両サイドに設けられた第１膨張部および第２膨張部と、ベッド本体を支える脚を備え、第１関節は、ベッド本体に寝ている人体の腰部付近に設けられ、第２床材は、ベッドの設置水平面に対して傾きを有するように屈曲可能であり、第１床材と第３床材は、第２床材に対して傾きを有するように屈曲可能であり、第１膨張部と第２膨張部は、膨張時には、異なる大きさに膨張することを特徴とする。
【００２６】
この構成により、検査用ベッドに横たわった患者の上半身を簡単に起き上がらせることができ、患者の胃を伸ばして拡げることができる。結果として、患者への肉体的な負担を少なくした上で、内視鏡検査の精度を上げることができる。
【００２７】
第２の考案に係る検査用ベッドでは、脚は、第１関節と第２関節から、設置面に向けて延伸していることを特徴とする。
【００２８】
この構成により、脚の位置に係らず、第１床材や第２床材を上下に傾けることができる。
【００２９】
第３の考案に係る検査用ベッドでは、第１膨張部と第２膨張部の間に第３膨張部が更に設けられていることを特徴とする。
【００３０】
この構成により、検査用ベッドに寝ている患者の上半身をそらすことができる。結果として、胃を様々な方向に広げたり伸ばしたりできる。
【００３１】
第４の考案に係る検査用ベッドでは、第１関節および第２関節の少なくとも一方は回動部を備え、回動部の回転動作を制御するコントローラを更に備えることを特徴とする。
【００３２】
第５の考案に係る検査用ベッドでは、第１膨張部、第２膨張部および第３膨張部の少なくとも一つは、空気の注入／排出により膨張／収縮し、空気の注入／排出を制御するコントローラを更に備えることを特徴とする。
【００３３】
これらの構成により、内視鏡検査を行う医師や看護師は、内視鏡の操作に負荷をかけることなく、検査用ベッドを操作できる。
【００３４】
以下、図面を用いて実施の形態について説明する。
【００３５】
（実施の形態１）
まず、検査用ベッドの概要について説明する。
【００３６】
図１は、本考案の実施の形態１における検査用ベッドの側面図である。
【００３７】
（全体概要）
検査用ベッド１は、延伸時には略フラットとなる第１床材２、第２床材３、第３床材４を有するベッド本体を備えている。
【００３８】
また、検査用ベッド１は、第１床材２と第２床材３を相互に屈曲可能に接続する第１関節５と、第２床材３と第３床材４を相互に屈曲可能に接続する第２関節６を備え、加えて、第１関節５と第２関節６から、検査用ベッド１の設置面９に向けて延伸する脚７を備えている。
【００３９】
第１関節５は、ベッド本体に寝ている患者の概ね腰部付近に該当する位置に設けられ、第２関節６は、ベッド本体に寝ている患者の足の付け根付近に該当する位置に設けられるのが好ましい。
【００４０】
検査用ベッド１は、更に、第１関節５、第２関節６の回動動作を制御するコントローラ８を備えている。このコントローラ８からの制御により、回動する回動部を備える第１関節５と第２関節６は、回動動作を行い、第１床材２と第２床材３との位置関係を屈曲させ、第２床材３と第３床材４との位置関係を屈曲させる。
【００４１】
このように、ベッド本体を形成する第１床材２、第２床材３および第３床材４は、それぞれ第１関節５および第２関節６によって屈曲が可能であるので、図１に示されるようにフラットな常態から、図２、図３に示されるような、折れ曲がった状態に変化させることができる。
【００４２】
結果として、検査用ベッド１に寝ている患者にとっては、第１床材２が起き上がることで、上半身が自動的に起き上がり、第３床材４が下がることで、足が自動的に下がる。
【００４３】
内視鏡検査においては、患者の身体が横たわったままでは、胃がひしゃげた状態であり、空気を送りこんで膨張させても、胃の一部が他の部分に覆いかぶさるなどするので、胃の内部を十分に検査できない。
【００４４】
しかし、本実施の形態における検査用ベッド１を用いて、患者の上半身を起き上がらせることで、ひしゃげた状態の胃を伸ばして起き上がらせることができ、他の部分に覆いかぶさっている胃の一部も、引き伸ばすことができる。更に、胃の内部のひだなども伸ばすことができるので（すなわち、胃全体が突っ張ったように広がる）胃の内部が、十分かつ正確に検査できる。
【００４５】
次に、各部の詳細について説明する。
【００４６】
（床材）
ベッド本体は、１枚の床材ではなく、第１床材２、第２床材３および第３床材４の３つの床材から構成されている。なお、検査用ベッド１は、内視鏡検査の対象となる患者により使用されるので、人体の形状などを考慮して、ベッド本体は３つの床材から構成されることが好適であるが、２つあるいは４以上の床材から構成されることを除外するものではない。
【００４７】
第１床材２、第２床材３および第３床材４は、それぞれ木材、樹脂、金属などによる基板に、緩衝材を貼り付けて、その上から布、ゴム、ビニールなどで被覆して形成される。医療機関で用いられるので、衛生状態と清潔感を確保するために、抗菌処理がなされていることが好ましい。
【００４８】
第１床材２、第２床材３および第３床材４は、それぞれ独立したユニットであるが、検査用ベッド１として供給されればよい。
【００４９】
第１床材２は、ベッド本体に横たわった患者の頭部側に対応し、第３床材４は、患者の足側に対応する。また、第１関節５は、患者の腰部付近となる位置に配置される。内視鏡検査において、患者の上半身を第１床材２により起き上がらせるためである。
【００５０】
第１床材２と第２床材３は、それぞれ独立したユニットであるが、第１関節５によって相互に接続され、更に、第１関節５の回動動作により、相互に屈曲可能である。第２床材３と第３床材４は、それぞれ独立したユニットであるが、第２関節６によって相互に接続され、更に、第２関節６の回動動作により、相互に屈曲可能である。
【００５１】
第２床材３は、第１関節５と第２関節６に挟まれている。このため、第２床材３は、第１関節５の回動動作と、第２関節６の回動動作の両方により、その傾きが変化させられる。このため、第２床材３は、設置面９に対して傾きを有することが可能である。
【００５２】
これに対して、第１床材２は、第１関節５の回動動作のみで、その傾きが変化させられる。同様に、第３床材４は、第２関節６の回動動作のみで、その傾きが変化させられる。このため、第１床材２と第３床材４は、設置面９に対してと同時に第２床材３に対して傾きを有することが可能である。
【００５３】
（関節）
関節との用語は、第１関節５と第２関節６の総称として用いる。
【００５４】
第１関節５は、第１床材２と第２床材３を相互に屈曲可能に接続する。ここで、屈曲可能とは、第１関節５を基点として、第１床材２と第２床材３が角度を有するように傾くということである。
【００５５】
第２関節６は、第２床材３と第３床材４を相互に屈曲可能に接続する。ここで、屈曲可能とは、第２関節６を基点として、第２床材３と第３床材４が角度を有するように傾くということである。
【００５６】
第１関節５および第２関節６は、それぞれ回動する回動部を有しており、この回動部の回動動作によって、第１関節５と第２関節６は、回動して、第１床材２〜第３床材４に傾きを与える。
【００５７】
なお、回動部は、後述するコントローラ８により、その回動動作が制御されればよい。また、第１関節５、第２関節６は、回動動作以外の機構によって第１床材２〜第３床材４に傾きを与えてもよい。
【００５８】
なお、第１関節５および第２関節６は、第１床材２、第２床材３、第３床材４を接続する役目も有しているので、それぞれ床材の端部と接続されている。
【００５９】
（脚）
脚７は、ベッド本体を支える。
【００６０】
図１には、脚７が、第１関節５と第２関節６のそれぞれに設置されている状態が示されている。
【００６１】
検査用ベッド１は、第１関節５と第２関節６を基点として、第１床材２、第２床材３および第３床材４が傾くので、床材に接続させるよりも、関節に接続させることが好都合である。
【００６２】
このため、図１に示されるように、脚７は、第１関節５と第２関節６のそれぞれに接続されて設置されている。もちろん、床材に接続されて、ベッド本体を支えてもよい。
【００６３】
なお、第２床材３が傾く場合に対応して、脚７が伸縮可能であることも好適である。
【００６４】
なお、脚７は、ベッド本体から設置面９に向けて延伸する。
【００６５】
（コントローラ）
コントローラ８は、第１関節５と第２関節６の回動動作を制御する。更に、後述する第１膨張部、第２膨張部、第３膨張部の拡縮も制御する。
【００６６】
コントローラ８は、関節の回動部の動作開始、動作停止および動作量を決定するボタンを備えており、内視鏡検査をする医師やこれを補助する看護師が、このボタンを操作することで、関節の回動を実行する。この結果、第１床材２が起き上がったり水平に戻ったりする。このように、コントローラ８によって、関節の回動動作を容易に制御できるので、内視鏡検査を行う医師や看護師は、検査をもっともやりやすいように、患者の姿勢や体勢を変更できる。
【００６７】
また、コントローラ８は、手ではなく、足で操作できるようにされていることも好適である。内視鏡検査において、看護師の補助が受けられない場合には、医師は内視鏡操作をしながら、検査用ベッド１の操作も行う必要がある。内視鏡の操作のために、医師の手はふさがっている。このため、コントローラ８が、足元で操作できる場合には、医師は足を用いてコントローラ８を操作し、検査用ベッド１の、床材の傾き角度を調整できる。
【００６８】
足元で操作できるためには、コントローラ８は、床に設置可能であって、大きなボタンを有していることが好適である。
【００６９】
なお、コントローラ８は、第１関節５と第２関節６の回動動作の速度も制御できる。例えば、検査時間を短縮するためには、回動速度は速いほうが好ましい。しかし、あまりに回動速度が速いと、第１床材２の起き上がり速度や、第３床材４の下がり速度が速くなりすぎ、患者への精神的な不安感が大きくなる。
【００７０】
回動速度は、検査時間と患者への不安軽減のバランスを取って成立し、コントローラ８は、回動速度を調整することで、患者ごとに異なるバランスに基づく、最適な回動速度を実現する。
【００７１】
なお、コントローラ８は、電池で動作しても、家庭用電源で動作してもよい。
【００７２】
（使用態様）
次に、検査用ベッド１の内視鏡検査時の使用態様について説明する。
【００７３】
（基本使用形態）
本実施の形態における検査用ベッド１は、患者の内視鏡検査に用いられるので、横たわっている（あるいは仰向けで寝ている）患者の上半身を起き上がらせるように、患者の上半身が乗っている第１床材２が起き上がる。更に、患者をリラックスさせるために、患者の足を下げるように、患者の足の乗っている第３床材４が下げられる。第１関節５と第２関節６の回動動作により、第１床材２と第３床材４が、このような互い違いの傾きを持つことが、患者の胃を広げて伸ばすための基本的な形態である。
【００７４】
この基本的な形態は、図２に示されている。
【００７５】
図２は、本考案の実施の形態１における検査用ベッドの側面図である。
【００７６】
（使用形態その２）
また、患者の安定感を向上させるために、図３に示されるような使用形態を用いることも好適である。
【００７７】
図３は、本考案の実施の形態１における検査用ベッドの側面図である。
【００７８】
図３に示されるように、図２と同様に、第１床材２は起き上がり、第３床材４は下がっている。加えて、第２床材３は、設置面９に対して傾いている。特に、第２床材３の第１床材１側が、第３床材４側よりも低くなるように、第２床材３は、傾いている。第１床材２と第２床材３の接続部分、すなわち第１関節５は、患者の腰部付近に該当するので、第２床材３が図３に示される傾きを有することで、患者の腰位置が低くなり、患者の姿勢が安定する。この結果、患者は、検査中であってもリラックスでき、検査における患者の肉体的、精神的負担を軽減できる。
【００７９】
このように、検査用ベッド１により、患者の上半身を起こすことで、空気を送り込むなどの必要なく、患者の胃を伸ばして広げることができる。結果として、胃の一部同士が覆いかぶさる状態が回避でき、胃下垂や爆状胃などでも通常の胃と同じように検査できる。また、胃の内部のひだを十分に引き伸ばすことができるので、ひだの間に埋もれている潰瘍や腫瘍が見逃されなくなる。
【００８０】
この結果、潰瘍や腫瘍の早期発見が可能となる。
【００８１】
また、発泡剤により胃を膨張させたり、胃に空気を送り込んだりする必要が無いので、患者への肉体的負担が軽減でき、患者がげっぷを我慢できないために検査時間が長くなるなどの問題もなくなる。検査時間が短縮されれば、使用する麻酔量も減るので、患者への肉体的な負担は更に軽減できる。加えて、検査時間が短縮されることで、患者の精神的な不安も減少する。
【００８２】
なお、従来の技術における特許文献１、２などでは、介護に向けたベッドが可動するだけで、可動基点となる関節の位置や、可動による使用形態への考慮がなく、内視鏡検査に流用するのは不十分である。
【００８３】
以上のように、本実施の形態の検査用ベッドにより、患者への肉体的、精神的負担を減少させつつ、正確な胃の内視鏡検査が実現できる。
【００８４】
（実施の形態２）
次に実施の形態２について説明する。
【００８５】
実施の形態２では、図４、５を用いて説明する。実施の形態２における検査用ベッド１は、第１床材２に、ベッド本体に寝ている（あるいは横たわっている）患者の体を傾けるための機能を有している。
【００８６】
図４は、本考案の実施の形態２における検査用ベッドの上面図である。
【００８７】
第１膨張部１０と第２膨張部１２は、第１床材２において、ベッド本体の長手側面の両サイドに設けられている。第３膨張部１１は、第１膨張部１０と第２膨張部１２との間に設けられている。
【００８８】
第１膨張部１０、第２膨張部１２、第３膨張部１１のそれぞれは、空気（あるいは油圧）によって、膨張もしくは収縮する。
【００８９】
コントローラ８は、第１関節５と第２関節６の回動を制御するだけでなく、これら膨張部（膨張部との用語は、第１膨張部１０、第２膨張部１２、第３膨張部１１の総称である）に対して、空気の注入／排出により、膨張部を膨張／収縮させる。医師や看護師は、コントローラ８を操作することで、膨張部を膨張させたり、収縮させたりする。
【００９０】
また、第１膨張部１０と第２膨張部１２は、膨張時には、異なる大きさに膨張するように制御されている。なお、完全なる収縮時には、収縮しているので、大きさが異なることはない。
【００９１】
膨張部には、空気を注入／排出するチューブやパイプが接続されており、これらのチューブやパイプを経由して、膨張部には空気が注入される。あるいは排出される。
【００９２】
コントローラ８は、このチューブやパイプの根元にある空気袋や送風機などを制御して、膨張部の膨張／収縮を制御する。
【００９３】
次に、この膨張部を利用した態様について説明する。図５は、本考案の実施の形態２における検査用ベッドの側面図である。なお、側面であるが、縦側面の図面である。
【００９４】
図６に示されるように、第２膨張部１２が膨張し、患者２０の体が横方向に傾く。
【００９５】
内視鏡検査において、患者の上半身を起き上がらせることが、胃を広げることに好適であると説明したが、加えて、体を横方向に傾けることで、患者の肉体的負担を更に軽減できる。また、胃を広げる効果がさらに高まる。
【００９６】
例えば、医師の方向に患者２０の体を傾けさせると、患者は医師を見ることができ、安心感を有する。加えて、患者２０は、内視鏡を飲み込みやすくなる。また、胃の側面が延びることになり、更に胃の内部を検査しやすくなる。このため、第１膨張部１０を膨張させ、第２膨張部１２を収縮させる（図６と反対）ことで、患者２０を逆方向に傾かせることができ、患者２０の胃の逆側を伸ばすことができる。結果として、更に詳しく胃を検査できる。
【００９７】
また、第３膨張部１１が膨張し、第１膨張部１０と第２膨張部１２が収縮していることで、患者２０の背中が背骨に沿って反り返る。この結果、胃も反り返ることになり、胃の壁面の一部が広がって、内視鏡により見やすくなる。
【００９８】
この結果、医師は、患者２０の胃を、十分かつ正確に検査できる。
【００９９】
このように、実施の形態２における検査用ベッドにより、医師は、患者２０を様々な姿勢にすることができ、胃を様々に伸ばしたり拡げたりできて、胃の十分な検査を実現できる。
【０１００】
（実施の形態３）
次に、実施の形態３について説明する。
【０１０１】
実施の形態３では、検査用ベッド１の使用態様についての異なるバリエーションについての説明ではなく、本考案に係る検査用ベッド１を使用した場合の作用や効果について具体的に説明する。
【０１０２】
（胃の拡張の状態についての説明）
図６〜図８には、種々の胃（特に、内視鏡検査において検査しにくい形状の胃）の形状が、本考案の検査用ベッド１を用いることによって、検査しやすい形状に変化する状態を示している。
【０１０３】
図６、図７、図８は、本考案の実施の形態３における検査用ベッドを用いた患者の胃の形状変化を示す説明図である。
【０１０４】
なお、図６〜８に示される胃の形状の変化は、模式的に表されたものであり、実際には個人差などで、変化する。また、胃の形状の詳細まで、図６〜８に表されているわけではないが、本考案の検査用ベッド１を用いた患者は、概ね、図６〜８に示されるような、胃の形状変化を有する。
【０１０５】
図６に示される胃は、通常の状態に近い胃であるが、胃の壁面が内視鏡で見にくい問題を有している。しかし、本考案の検査用ベッド１に横たわった患者の上半身は、第１床材２の起き上がりにより、持ち上げられる。このため、寝ている場合に比べて胃が垂直方向に起き上がり、自然と胃が伸びる。更に、上半身も伸びるので、胃が拡張する。すなわち、図６の上側に示される状態から、下側に示される状態に変化する。
【０１０６】
このような変化により、胃が十分に広がり、内視鏡による検査が容易かつ確実となる。
【０１０７】
図７に示される胃は、牛角胃と呼ばれる形状の胃であり、胃の一部がひしゃげて他の部分を覆い隠すようになっている。
【０１０８】
このような牛角胃は、胃の一部が他の部分を覆い隠しているため、重なっている部分は当然に内視鏡で見にくく、検査漏れが生じる原因でもあった。また、これだけ重なってしまっていると、空気を送り込んだりして膨張させても、重なっている部分を広げることが困難であった。
【０１０９】
このような場合でも、本考案の検査用ベッド１に横たわっている患者の上半身が、第１床材２の起き上がりにあわせて起き上がり、胃が垂直方向に伸びる。この結果、図７の下半分に示されるように、胃の重なり合う部分がほどかれ、内視鏡により見やすい形状となる。これも、上半身が起き上がることによる効果である。
【０１１０】
次に、図８に示される胃は、胃下垂の形状である。このような胃下垂の場合には、胃の中央部が完全に折れ曲がってしまい、やはり内視鏡で見にくい状態である。
【０１１１】
このような胃下垂であっても、検査用ベッド１に横たわっている患者の上半身が、第１床材２の起き上がりにあわせて起き上がるので、胃が垂直方向に伸びる。この結果、胃の中央部での折れ曲がりが小さくなる。小さくなった結果、内視鏡によって、胃が見やすい状態となる。
【０１１２】
これも、上半身が起き上がり、更に体が伸びることで、胃が見やすくなるからである。
【０１１３】
なお、経口の場合の内視鏡では患者の体を横向きにする必要があり、上半身を起こすことは困難であるが、経鼻の内視鏡では、患者の体を仰向けにできるので、上半身を起こすことが容易である。このため、本考案の検査用ベッド１は、経鼻の内視鏡検査に特に好適である。
【０１１４】
（実際の内視鏡写真による説明）
次に、図９〜図１２を用いて、実際に、本考案の検査用ベッドを使用した場合の胃の広がり具合を説明する。
【０１１５】
（説明その１）
図９は、本発明の実施の形態３における検査用ベッドを使用しない場合の胃の内視鏡写真であり、図１０は、図９と同じ患者に対して検査用ベッドを使用した場合の胃の内視鏡写真である。
【０１１６】
図９と図１０は、同一患者の胃を示しており、同一の角度から撮影した写真である。
【０１１７】
図９に示されるように、本考案の検査用ベッドを使用しない場合には、胃は収縮したままで、胃の内部は、筋肉のひだに覆われている。このように多くのひだに覆われていると、ひだとひだの谷間に存在する、微小な潰瘍や腫瘍の発見は困難であり、早期発見が遅れる問題もある。加えて、ひだが凹凸と陰を作るので、陰などに埋もれた潰瘍や腫瘍を発見しにくい。このひだをひろげるために、胃に空気を送り込んで胃を強制的に広げるのは、患者への肉体的負担が大きすぎる。
【０１１８】
このような図９の状況に対して、本考案の検査用ベッド１を使用して、上半身が起き上がった患者の場合には、図１０に示されるようにひだがしっかりと伸びて、胃の表面が滑らかな状態となっている。このように胃の内部に凹凸がないと、微小な潰瘍や腫瘍の見逃しが少なく、精度の高い内視鏡検査が行われる。また、当然ながら早期発見が可能となる。胃の表面の凹凸が少ない状態であるから、胃を更に膨らませる必要がなく、空気の送り込みなどもない。このため、患者への肉体的負担も少ない。
【０１１９】
このように、本考案の検査用ベッド１の利用により、患者への肉体的負担が少ない状態で、内視鏡検査の精度を向上させることができる。
【０１２０】
（説明その２）
図１１と図１２も、図９と図１０の関係と同じである。
【０１２１】
図１１は、本発明の実施の形態３における検査用ベッドを使用しない場合の胃の内視鏡写真であり、図１２は、図１１と同じ患者に対して、検査用ベッドを使用した場合の胃の内視鏡写真である。
【０１２２】
図９と図１０の対比と同じく、図１１と図１２においても、本考案の検査用ベッド１を使用するだけで、胃の内部が伸ばされて、ひだなどがなくなり、凹凸なく滑らかな状態の胃の内部を検査できるようになる。この結果、微小な潰瘍や腫瘍が見逃されにくくなり、胃の内視鏡検査の精度が向上する。
【産業上の利用可能性】
【０１２３】
本考案は、内視鏡検査を行う際に、患者を横たえるベッドなどの分野に好適に利用できる。
【図面の簡単な説明】
【０１２４】
【図１】本考案の実施の形態１における検査用ベッドの側面図
【図２】本考案の実施の形態１における検査用ベッドの側面図
【図３】本考案の実施の形態１における検査用ベッドの側面図
【図４】本考案の実施の形態２における検査用ベッドの上面図
【図５】本考案の実施の形態２における検査用ベッドの側面図
【図６】本考案の実施の形態３における検査用ベッドを用いた患者の胃の形状変化を示す説明図
【図７】本考案の実施の形態３における検査用ベッドを用いた患者の胃の形状変化を示す説明図
【図８】本考案の実施の形態３における検査用ベッドを用いた患者の胃の形状変化を示す説明図
【図９】本発明の実施の形態３における検査用ベッドを使用しない場合の胃の内視鏡写真
【図１０】図９と同じ患者に対して検査用ベッドを使用した場合の胃の内視鏡写真
【図１１】本発明の実施の形態３における検査用ベッドを使用しない場合の胃の内視鏡写真
【図１２】図１１と同じ患者に対して検査用ベッドを使用した場合の胃の内視鏡写真
【符号の説明】
【０１２５】
１    検査用ベッド
２    第１床材
３    第２床材
４    第３床材
５    第１関節
６    第２関節
７    脚
１０    第１膨張部
１１    第３膨張部
１２    第２膨張部
【図１】
0003133247.tif 000003
【図２】
0003133247.tif 000004
【図３】
0003133247.tif 000005
【図４】
0003133247.tif 000006
【図５】
0003133247.tif 000007
【図６】
0003133247.tif 000008
【図７】
0003133247.tif 000009
【図８】
0003133247.tif 000010
【図９】
0003133247.tif 000011
【図１０】
0003133247.tif 000012
【図１１】
0003133247.tif 000013
【図１２】
0003133247.tif 000014